(57)【要約】【課題】フィルタ交換時のオイル洩れ量を低減できるオイルフィルタ装置を提供する。【解決手段】配管１１，１２を接続したフィルタベース１３の下側に、フィルタエレメント内蔵のフィルタケース１４を着脱自在に装着する。配管１１，１２とフィルタベース１３との接続部に、配管・フィルタベース間を遮断可能な残油流出防止用のシャットオフバルブ１５，１６を介在させる。そして、フィルタ交換前に、シャットオフバルブ１５，１６を閉じることで、配管内残油が、フィルタケース１４を取外したフィルタベース１３から外部に流出することを防止できるので、フィルタ交換時のオイル洩れ量を低減でき、このオイル洩れによる周囲の汚染も低減できる。【選択図】        図１
2004322046.tif 000002
【特許請求の範囲】
【請求項１】
配管が接続されるフィルタベースと、
フィルタベースに着脱自在に装着されたフィルタエレメント内蔵のフィルタケースと、
配管とフィルタベースとの接続部に介在されて配管・フィルタベース間を遮断可能な残油流出防止用のシャットオフバルブと
を具備したことを特徴とするオイルフィルタ装置。
【請求項２】
フィルタケースは、フィルタベースの下側に装着された
ことを特徴とする請求項１記載のオイルフィルタ装置。
【発明の詳細な説明】
【０００１】
【発明の属する技術分野】
本発明は、残油流出防止機能を有するオイルフィルタ装置に関する。
【０００２】
【従来の技術】
油圧ショベルには、下部走行体上に上部旋回フレームが旋回自在に搭載され、この上部旋回フレーム上にエンジンが搭載され、このエンジンの近傍にエンジンオイルを濾過するオイルフィルタ装置が設けられ、このオイルフィルタ装置の下側にオイルトレイが配置され、このオイルトレイにより、フィルタ交換時にオイルフィルタ装置から流れ出るエンジンオイルを受けるようにしている（例えば、特許文献１参照）。
【０００３】
このようなオイルフィルタ装置の下側にオイルトレイを配置することは、構造的に余裕がある場合に限られるので、汎用性に欠ける。
【０００４】
一方、油圧ショベルの最近の機種では、フィルタ交換時のメンテナンス性を向上させるために、図３または図４に示されるように、エンジン直付きのフィルタベース１からホース２，３を引出し、外部からアクセスし易い任意の場所にオイルフィルタ装置４をリモート設置する場合がある。
【０００５】
例えば、図３に示されるように、地面側からのアクセスを考慮して、元のフィルタベース１より低い位置にオイルフィルタ装置４をリモート設置したり、図４に示されるホース２，３のようにホースルートに水平部ができるような場所にオイルフィルタ装置４をリモート設置する場合がある。
【０００６】
これらのオイルフィルタ装置４は、フィルタベース５にフィルタエレメント内蔵のフィルタケース６が着脱自在に装着されている。
【０００７】
【特許文献１】
特開２００２−５４１７７号公報（第３頁、図１および２）
【０００８】
【発明が解決しようとする課題】
図３に示されるように、元のフィルタベース１より低い位置にオイルフィルタ装置４をリモート設置する場合は、その落差分のホース内容積の残油が、または、図４に示されるようにホースルートに水平部ができる場合は、その水平部分のホース内容積の残油が、フィルタ交換時のフィルタケース６を取外したフィルタベース５より多量のオイル洩れ量として流れ出し、周囲を汚す問題がある。
【０００９】
本発明は、このような点に鑑みなされたもので、フィルタ交換時のオイル洩れ量を低減できるオイルフィルタ装置を提供することを目的とするものである。
【００１０】
【課題を解決するための手段】
請求項１に記載された発明は、配管が接続されるフィルタベースと、フィルタベースに着脱自在に装着されたフィルタエレメント内蔵のフィルタケースと、配管とフィルタベースとの接続部に介在されて配管・フィルタベース間を遮断可能な残油流出防止用のシャットオフバルブとを具備したオイルフィルタ装置であり、フィルタベースよりフィルタケースを取外すフィルタ交換前に、シャットオフバルブを閉じることで、配管内残油が、フィルタケースを取外したフィルタベースから外部に流出することを防止できるので、フィルタ交換時のオイル洩れ量を低減でき、このオイル洩れによる周囲の汚染も低減できる。
【００１１】
請求項２に記載された発明は、請求項１記載のオイルフィルタ装置におけるフィルタケースが、フィルタベースの下側に装着されたものであり、配管内残油をシャットオフバルブにより配管内に閉じ込めるとともに、フィルタケース内残油をフィルタケース内に溜めたまま、フィルタベースからフィルタケースを取外すことで、フィルタケース内からのオイル洩れも防止できる。
【００１２】
【発明の実施の形態】
以下、本発明を図１に示された一実施の形態、図２に示された他の実施の形態を参照しながら詳細に説明する。
【００１３】
図１に示されるように、ホースなどの配管１１，１２が接続されるフィルタベース１３と、このフィルタベース１３の下側に着脱自在に装着されたフィルタエレメント内蔵のフィルタケース１４と、各配管１１，１２とフィルタベース１３との接続部にそれぞれ介在されて配管・フィルタベース間を遮断可能な残油流出防止用のシャットオフバルブ１５，１６とを具備したオイルフィルタ装置である。
【００１４】
フィルタベース１３は、一側部に１対のオイル入側接続口部１７，１８が設けられ、中央部にオイル出側接続口部１９が設けられ、他側部に連結部２１を介して取付板２２が一体に形成されている。この取付板２２は、エンジン周辺の任意のフレーム部材２３に固定されている。
【００１５】
一方のオイル入側接続口部１７は、シャットオフバルブ１５およびホースなどの配管１１を介して、エンジンにより駆動されるオイルポンプの吐出口に連通され、他方のオイル入側接続口部１８は、盲栓２５いわゆるプラグにより閉じられている。
【００１６】
また、オイル出側接続口部１９は、サンプリング用オイル取出金具２６、管継手２７、シャットオフバルブ１６およびホースなどの配管１２を介してエンジン潤滑対象各部に連通されている。なお、エンジン潤滑対象各部からエンジンのオイルパンに戻されたエンジンオイルは、ストレーナを経て上記オイルポンプの吸込口に循環される。
【００１７】
フィルタケース１４は、上部の開口内にねじ溝が形成され、フィルタベース１３の外周面に螺合されている。このフィルタケース１４は、正転によりフィルタベース１３に螺着できるとともに、逆転によりフィルタベース１３から簡単に取外すことができる。このフィルタケース１４の内部には濾紙などのフィルタエレメントが内蔵されている。
【００１８】
シャットオフバルブ１５，１６は、それぞれの弁本体２８内に、外部の操作部２９により回動される開閉弁体（図示せず）がそれぞれ嵌着されたもので、図示された状態は、配管・フィルタベース間を遮断した閉じ状態にある。
【００１９】
そして、このオイルフィルタ装置によりオイル中のコンタミネーションを濾過する通常のフィルタ作用時は、シャットオフバルブ１５，１６を開いて、配管１１とフィルタベース１３のオイル入側接続口部１７とを連通させるとともに、フィルタベース１３のオイル出側接続口部１９と配管１２とを連通させる。
【００２０】
一方、フィルタ交換に当たって、フィルタベース１３よりフィルタケース１４を取外す前に、シャットオフバルブ１５，１６をそれぞれ閉じ操作して、配管１１，１２からフィルタベース１３への通路を遮断することで、配管１１，１２のホースルートにホース接続部と同位の水平部またはホース接続部より高位の部分が有る場合でも、それらのホース内容積分の配管内残油がフィルタベース１３内に移動しないようにし、フィルタケース１４を取外したフィルタベース１３から外部に配管内残油が流出することを防止できるので、フィルタ交換時のオイル洩れ量を低減でき、このオイル洩れによる周囲の汚染も低減できる。
【００２１】
また、この図１に示された実施の形態は、フィルタベース１３の下側にフィルタケース１４が装着されているので、配管内残油をシャットオフバルブ１５，１６により配管１１，１２内に閉じ込めるとともに、フィルタケース内残油をこのフィルタケース１４内に溜めたまま、フィルタベース１３からフィルタケース１４を取外すことで、フィルタケース１４内からのオイル洩れを防止できる。
【００２２】
図２は、他の実施の形態を示し、フィルタケース１４が、フィルタベース１３上に倒立設置された点で図１のものと異なるオイルフィルタ装置であり、各配管１１，１２とフィルタベース１３との接続部に、配管・フィルタベース間を遮断可能な残油流出防止用のシャットオフバルブ１５，１６がそれぞれ介在された点は、図１に示された実施の形態と同様であるから、同様の部分に同一符号を付して、その説明を省略する。
【００２３】
このように、リモート設置により高低差が生じたオイルフィルタ装置において、フィルタベース１３からフィルタケース１４を取外すフィルタ交換時に、フィルタベース１３からこぼれるオイル洩れ量を低減でき、このオイル洩れによる周囲の汚染も低減できる。
【００２４】
また、シャットオフバルブ１５，１６によって、配管・フィルタベース間を開く操作および閉じる操作を、手を汚すことなく短時間で容易にでき、作業性を向上できる。
【００２５】
【発明の効果】
請求項１記載の発明によれば、フィルタベースよりフィルタケースを取外すフィルタ交換前に、シャットオフバルブを閉じることで、配管内残油が、フィルタケースを取外したフィルタベースから外部に流出することを防止できるので、フィルタ交換時のオイル洩れ量を低減でき、このオイル洩れによる周囲の汚染も低減できる。
【００２６】
請求項２記載の発明によれば、配管内残油をシャットオフバルブにより配管内に閉じ込めるとともに、フィルタケース内残油をフィルタケース内に溜めたまま、フィルタベースからフィルタケースを取外すことで、フィルタケース内からのオイル洩れも防止できる。
【図面の簡単な説明】
【図１】本発明に係るオイルフィルタ装置の一実施の形態を示す斜視図である。
【図２】本発明に係るオイルフィルタ装置の他の実施の形態を示す斜視図である。
【図３】従来のリモート設置されたオイルフィルタ装置の一例を示す斜視図である。
【図４】従来のリモート設置されたオイルフィルタ装置の他の例を示す斜視図である。
【符号の説明】
１１，１２    配管
１３    フィルタベース
１４    フィルタケース
１５，１６    シャットオフバルブ
【図１】
2004322046.tif 000003
【図２】
2004322046.tif 000004
【図３】
2004322046.tif 000005
【図４】
2004322046.tif 000006